(57)【要約】 【課題】  交換のための装置が大型化することなく容易に構築でき、しかも熟練を要することなく副弁の交換作業ができる副弁交換方法を提供すること。【解決手段】  止水弁体２４で水道本管から既設の副弁Ｖ１側への流れを閉鎖しておき、この止水弁体２４を仮固定金具の分割部片で仮固定している間に副弁Ｖ１を新規の副弁に交換し、止水弁体２４を支柱に固定した後、仮固定金具を解除して新規の副弁を分岐枝管５上端のフランジＦ１に取付けることで副弁の交換ができるので、交換作業が簡便に行われ、しかも密閉ケース等の大掛かりな装置を必要としない。【選択図】  図４
2005265087.tif 000002
【特許請求の範囲】
【請求項１】
流体管に形成した分岐口に取付けた副弁の交換方法であって、分岐口近傍に組み付けた挿排出手段により副弁を介して止水弁体の弁部を分岐口まで侵入させて流体管から副弁側への流れを閉鎖し、止水弁体を挿排出手段に取付けた状態で副弁を分岐口から取外して分岐口で止水弁体を仮固定金具で仮固定し、その後、止水弁体を挿排出手段から切り離して副弁を新規の副弁と交換し、再び止水弁体を挿排出手段に取付けてから止水弁体の仮固定を解除し、交換した新規の副弁を分岐口に取付け、最後に止水弁体を挿排出手段により副弁外に排出して挿排出手段を解体することを特徴とする分岐口に取付けた副弁の交換方法。
【請求項２】
前記挿排出手段は、副弁に取付けた挿排出フランジと、前記止水弁体を挿排出する作動装置と、該作動装置を支持する支柱とで構成されている請求項１に記載の分岐口に取付けた副弁の交換方法。
【請求項３】
前記作動装置は、ハンドルの回転で上下移動する螺合部材と、該螺合部材の移動を止水弁体に伝達する前記支柱に摺動自在の可動アームとで構成されている請求項２に記載の分岐口に取付けた副弁の交換方法。
【請求項４】
前記止水弁体は先端に止水ゴムからなる弁部を有する管状スピンドルと、該管状スピンドル内に挿入され止水ゴムを押圧可能な軸部材とで構成されている請求項１ないし３のいずれかに記載の分岐口に取付けた副弁の交換方法。
【請求項５】
前記仮固定金具は前記管状スピンドルの移動を固定する分割部片で構成されている請求項４に記載の分岐口に取付けた副弁の交換方法。
【請求項６】
前記支柱は接離可能な上部、及び下部支柱から成り、上部支柱に前記ハンドルと螺合部材を配置し、前記止水弁体の弁部が分岐口まで侵入したときに可動アームが下部支柱に固定され、その後上部支柱、ハンドル及び螺合部材を取り外し、止水弁体の軸部材を操作して止水ゴムを押圧して流体管から副弁側への流れを閉鎖する請求項４または５に記載の分岐口に取付けた副弁の交換方法。
【請求項７】
前記副弁には空気弁が取付けられている請求項２ないし６のいずれかに記載の分岐口に取付けた副弁の交換方法。
【発明の詳細な説明】
【技術分野】
【０００１】
本発明は、流体管に形成した分岐口に取付けた副弁の交換方法に関する。
【背景技術】
【０００２】
水道本管等の流体管に例えば空気弁を取付けるために、流体管に分岐枝管を立ち上げ、この分岐枝管に副弁を介して先端部に空気弁を取付けている。この空気弁を修理、調整する時は副弁を閉鎖して行うが、長期使用により副弁を交換しなければならない事態が生じることがある。従来、分岐枝管に設けられた流体機器類を不断流状態で交換する場合には、密閉ケースによって分岐枝管を流体機器を含めて外部から覆い、分岐口のフランジの接離を密閉ケースの外から操作するとともに、流体機器交換のために密閉ケース内を仕切る開閉機構が用いられていた（特許文献１参照）。
【０００３】
【特許文献１】特開平６−２４９３８６号公報（第３、４頁、図１）
【発明の開示】
【発明が解決しようとする課題】
【０００４】
しかしながら、この特許文献１に記載のものは、分岐枝管に対し比較的大きな密閉ケースを漏れのないように立設する必要があり、しかも分岐口のフランジの接離を密閉ケースの外から操作するので作業に熟練を要し、また密閉ケース用の開閉機構を備えるため装置全体が大型化する難点があった。
【０００５】
本発明は、上記課題に鑑みてなされたもので、交換のための装置が大型化することなく容易に構築でき、しかも熟練を要することなく副弁の交換作業ができる副弁交換方法を提供することを目的としている。
【課題を解決するための手段】
【０００６】
上記課題を達成するために、本発明の請求項１に記載の分岐口に取付けた副弁の交換方法は、流体管に形成した分岐口に取付けた副弁の交換方法であって、分岐口近傍に組み付けた挿排出手段により副弁を介して止水弁体の弁部を分岐口まで侵入させて流体管から副弁側への流れを閉鎖し、止水弁体を挿排出手段に取付けた状態で副弁を分岐口から取外して分岐口で止水弁体を仮固定金具で仮固定し、その後、止水弁体を挿排出手段から切り離して副弁を新規の副弁と交換し、再び止水弁体を挿排出手段に取付けてから止水弁体の仮固定を解除し、交換した新規の副弁を分岐口に取付け、最後に止水弁体を挿排出手段により副弁外に排出して挿排出手段を解体することを特徴としている。
この特徴によれば、止水弁体で流体管から副弁側への流れを閉鎖しておき、止水弁体を仮固定している間に副弁を交換し、仮固定解除後に副弁を分岐口に取付けることで副弁の交換ができるので、交換作業が簡便に行われ、しかも密閉ケース等の大掛かりな装置を必要としない。
【０００７】
本発明の請求項２に記載の分岐口に取付けた副弁の交換方法は、請求項１に記載の分岐口に取付けた副弁の交換方法であって、前記挿排出手段は、副弁に取付けた挿排出フランジと、前記止水弁体を挿排出する作動装置と、該作動装置を支持する支柱とで構成されていることを特徴としている。
この特徴によれば、支柱に作動装置を支持させて、その作動装置により止水弁体を挿排出するので、安定確実に止水弁体を駆動できる。
【０００８】
本発明の請求項３に記載の分岐口に取付けた副弁の交換方法は、請求項２に記載の分岐口に取付けた副弁の交換方法であって、前記作動装置は、ハンドルの回転で上下移動する螺合部材と、該螺合部材の移動を止水弁体に伝達する前記支柱に摺動自在の可動アームとで構成されていることを特徴としている。
この特徴によれば、ハンドルを回転させるだけで止水弁体を駆動できるので熟練を要することなく交換作業を遂行できる。
【０００９】
本発明の請求項４に記載の分岐口に取付けた副弁の交換方法は、請求項１ないし３のいずれかに記載の分岐口に取付けた副弁の交換方法であって、前記止水弁体は先端に止水ゴムからなる弁部を有する管状スピンドルと、該管状スピンドル内に挿入され止水ゴムを押圧可能な軸部材とで構成されていることを特徴としている。
この特徴によれば、止水弁体を挿入後、軸部材により止水ゴムを押圧することで、流体管から副弁側への流れを確実に閉鎖することができる。
【００１０】
本発明の請求項５に記載の分岐口に取付けた副弁の交換方法は、請求項４に記載の分岐口に取付けた副弁の交換方法であって、前記仮固定金具は前記管状スピンドルの移動を固定する分割部片で構成されていることを特徴としている。
この特徴によれば、仮固定金具が分割部片で構成されているので、管状スピンドルの外から容易に止水弁体を仮固定できる。
【００１１】
本発明の請求項６に記載の分岐口に取付けた副弁の交換方法は、請求項４または５に記載の分岐口に取付けた副弁の交換方法であって、前記支柱は接離可能な上部、及び下部支柱から成り、上部支柱に前記ハンドルと螺合部材を配置し、前記止水弁体の弁部が分岐口まで侵入したときに可動アームを下部支柱に固定し、その後上部支柱、ハンドル及び螺合部材を取外し、止水弁体の軸部材を操作して止水ゴムを押圧して流体管から副弁側への流れを閉鎖することを特徴としている。
この特徴によれば、止水弁体を下部支柱に取付けた状態で、上部支柱、ハンドル及び螺合部材を取外すことができるので、止水弁体の軸部材の操作がし易い。
【００１２】
本発明の請求項７に記載の分岐口に取付けた副弁の交換方法は、請求項２ないし６に記載の分岐口に取付けた副弁の交換方法であって、前記副弁には空気弁が取付けられていることを特徴としている。
この特徴によれば、空気弁を取外したところを利用して、容易に挿排出フランジを取付けることができる。
【発明を実施するための最良の形態】
【００１３】
本発明の実施例を以下に説明する。
【実施例】
【００１４】
図１〜図１６は、本発明の一実施形態を示すもので、図１は本発明に係る分岐口に取付けた副弁の交換方法における最初の工程であって、既設の副弁を止水した状態を示す説明図、図２は空気弁を取外し、下部支柱を取付ける工程の説明図、図３（ａ）、（ｂ）は図２のＡ−Ａ断面を示すものであって、支持金具の取付け手順を示す説明図、図４は２本の支柱に挿排出手段を取付ける工程の説明図、図５は作動装置を介して止水弁体の弁部を流体管の分岐口に挿入させた工程の説明図、図６は止水弁体を下部支柱に取付けた状態で、上部支柱、ハンドル及び螺合部材を取外す工程の説明図、図７は可動アームを下部支柱に固定して、止水弁体の軸部材を操作する工程の説明図、図８は止水弁体の止水ゴムにより流体管からの流れを閉鎖する工程の説明図、図９は流体管からの流れを閉鎖して既設の副弁を取外し、止水弁体を仮固定金具により仮固定する工程の説明図、図１０は仮固定金具の取付け手順を示し、（ａ）は分割部片で構成された仮固定金具の平面図、（ｂ）は（ａ）のＢ−Ｂ断面図、図１１は可動アームを取外して既設の副弁を新規の副弁と交換する工程の説明図、図１２は再び可動アームを取付けて止水弁体を固定し、仮固定金具を取外したのち新規の副弁を流体管に固定し、上部支柱を取付け、ハンドル操作で止水弁体を上部に引上げる工程の説明図、図１３は下部支柱から上部支柱を取外す工程の説明図、図１４は新規の副弁取付け後に挿排出フランジを取外す工程の説明図、図１５は新規の副弁に空気弁を取付ける工程の説明図であり、図１６は新規の副弁に空気弁を取付けた最終工程の説明図である。
【００１５】
図１に示すように、図示しない水道本管内を流れる水道水中の空気を排出するために、水道本管の所定箇所毎には副弁Ｖ１を介して空気抜き弁ＥＶが取付けられている。空気抜き弁ＥＶの修理、調整時に開閉操作する副弁Ｖ１は、水道本管の分岐管４に設けたフランジ４ａに取付けられた分岐枝管５の上端にフランジＦ１を介して取付けられている。
【００１６】
既設の副弁Ｖ１が故障した際は、新規の副弁Ｖ２との交換が余儀なくされるが、このような副弁の交換時には、図４で示す挿排出手段となる挿排出装置１が用いられる。
【００１７】
この挿排出装置１を設置するために、分岐管４のフランジ４ａに取付けたフランジＦの上面に支持金具６が台座１０ａ，１０ｂを介して支持される。この支持金具６は、図３（ａ）に示すように、２分割された分割環状フレーム８ａ，８ｂと、これら両分割環状フレーム８ａ，８ｂ外側の対向位置から水平に突設しそれらの下面にそれぞれ台座１０ａ，１０ｂを設けた一対の支柱ベース９ａ，９ｂから構成されており、この支持金具６は、図３（ｂ）に示すように、分岐枝管５の外周に両分割環状フレーム８ａ，８ｂを介して挟着されている。
【００１８】
挿排出装置１は、図４に示すように、主として副弁Ｖ１に取付けた挿排出フランジ２２と、分岐枝管５内の分岐口を副弁Ｖ１交換時に閉鎖する止水弁部２５を有する止水弁体２４を挿排出する作動装置２８と、この作動装置２８を支持する下部支柱２ａと上部支柱２ｂとから構成されている。
【００１９】
下部支柱２ａは、支柱ベース９ａ，９ｂ上面の対向位置に固定された一対の短い大径支持管１２ａ，１２ｂ内に挿嵌された下端部位を固定ピンＰ１により固定して平行に立設保持される一対の中空管１４ａ，１４ｂと、中空管１４ａ，１４ｂ上部の対面する内側に向けて延出する取付け片Ｂ１，Ｂ２と、中空管１４ａ，１４ｂ上端の内部に挿嵌固定され上部支柱２ｂの下端と連結するための挿嵌継手１６ａ，１６ｂとから構成されている。
【００２０】
上部支柱２ｂは、下部支柱２ａの中空管１４ａ，１４ｂと同じ形状に形成され、下端部が中空管１４ａ，１４ｂ上端の挿嵌継手１６ａ，１６ｂに挿嵌して固定ピンＰ２を介して固定された中空管１８ａ，１８ｂと、これら中空管１８ａ，１８ｂの上端間に連結固定された梁部材３０と、梁部材３０の中間部下面にあって後述する作動装置２８の螺合部材（後述する）の上端を保持するホルダ３２とから構成されている。
【００２１】
作動装置２８は、内周に逆向きの雌ねじを螺設したナット部材３４ａ，３４ｂを上下端部に固定した中空管４０と、中空管４０の中間部位に直交して設けられたハンドルＨ２と、
上下のナット部材３４ａ，３４ｂにそれぞれ螺合しハンドルＨ２の一定方向の回転に対し相対的に同一軸線上を外方又は内方に進退移動する逆ネジを螺設した螺合部材としての一対の送りネジ軸３６ａ，３６ｂとから構成されている。
【００２２】
そして、上方に配置されるネジ軸３６ｂは、上端が梁部材３０のホルダ３２に懸吊保持されると共に下方に配置されるネジ軸３６ａの下端には、外形六角形状に形成された袋ナット３８が回動自在に保持されており、この袋ナット３８は、可動アームから突出したスリーブ２３上端部に螺合している。
【００２３】
また、上部支柱２ｂの中空管１８ａ，１８ｂの間には可動アーム２０の両端が上下方向に摺動可能に案内されている。可動アーム２０の両端には、中空管１８ａ，１８ｂの対面する外周の一部と係合する円弧状の係合凹部が形成されており、可動アーム２０の中央には前述のスリーブ２３が固定されている。
【００２４】
一方、止水弁体２４は、管状スピンドル２７の下端に分岐枝管５の分岐口を閉鎖する止水弁部２５と、管状スピンドル２７の内部に収容された軸部材２６からなり、副弁Ｖ１に取付けた挿排出フランジ２２を液密的に貫通して延びている。
【００２５】
管状スピンドル２７の上端は、内周に雌ネジが螺設されたスリーブ２３と当接し上方の移動が拘束されている。軸部材２６は、スリーブ２３内周の雌ネジを螺挿した上端にハンドルＨ３（図７参照）の係合孔と係合可能な外形四角形状の係合部２６ｂを形成すると共に、下端にはフランジ２６ａが形成され、止水弁部２５を下から支持している。
【００２６】
図８に示すように、止水弁部２５は、管状スピンドル２７下端に設けた押圧リング体２７ａと、この押圧リング体２７ａとフランジ２６ａとの間に挟持されたリング状の止水ゴムＳからなり、軸部材２６が上方に移動するとそのフランジ２６ａ面により止水ゴムＳが変形して、流体本管側から副弁Ｖ１側への流通が遮断できる。
【００２７】
そこで、図７に示すように、四角形状の係合部２６ｂにハンドルＨ３を係合して軸部材２６を正転または逆転させると、この軸部材２６はスリーブ２３内周の雌ネジにより管状スピンドル２７に対し上下方向に相対移動し、止水ゴムＳの上下面を押圧リング体２７ａとフランジ２６ａ間で軸方向に押圧したり離反するよう構成されている。
【００２８】
次に、本発明の副弁の交換方法に付き工程順に説明する。
【００２９】
先ず、図１に示すように、初期の状態では、水道本管の分岐管４に設けたフランジ４ａに取付けられた分岐枝管５上端のフランジＦ１を介して副弁Ｖ１が取付けられており、副弁Ｖ１上部のフランジＦ２には空気抜き弁ＥＶが取付けられており、交換される副弁Ｖ１が閉鎖される。
【００３０】
次に、図２及び図３（ａ）、（ｂ）に示すように、空気抜き弁ＥＶを副弁Ｖ１から取り外すと共に、分岐枝管５下端のフランジＦ上面に２分割された支持金具６が設置される。
【００３１】
この支持金具６を構成する両分割環状フレーム８ａ，８ｂは、分割された内リング４２ａ，４２ｂと外リング４４ａ，４４ｂが放射状に配置されたリブを介して連結されており、外リング４４ａ，４４ｂ外側の対向位置には下面にそれぞれ台座１０ａ，１０ｂを設けた一対の支柱ベース９ａ，９ｂが外方に向けて水平に延設されている。
【００３２】
そこで、支持金具６の組立に際し、両分割環状フレーム８ａ，８ｂを連結する場合は、内リング４２ａ，４２ｂを分岐枝管５外周に嵌合すると同時に、分岐枝管５外周の４等配された左右一対のブラケット４５ｂを、支柱ベース９ａ，９ｂ方向に配置したダブルリブＤＬ間にそれぞれ挿嵌支持し、そして、外リング４４ａ，４４ｂ内側の挟持片４８ａ，４８ｂにより前後一対のブラケット４５ａを挟持した状態で外側の連結片４６ａ，４６ｂをボルトで連結する。  
【００３３】
そして、組立られた支持金具６は、図２に示すように分岐枝管５の外周に固定された状態で分岐管４のフランジ４ａに取付けたフランジＦの上面に台座１０ａ，１０ｂを介して支持され、支柱ベース９ａ，９ｂ上の支持管１２ａ，１２ｂ内に中空管１４ａ，１４ｂの下端が挿嵌され固定ピンＰ１により固定されて下部支柱２ａが立設される。
【００３４】
一方、上部支柱２ｂの中空管１８ａ，１８ｂ上端の梁部材３０のホルダ３２には、上部ネジ軸３６ｂの上端が保持され、この上部ネジ軸３６ｂと螺合する中空管４０、この中空管４０の下端に螺合した袋ナット３８を保持する下部ネジ軸３６ａが順次懸吊保持され、止水弁体２４を、挿排出フランジ２２を介して挿排出できる作動装置２８を構成している。
【００３５】
次に、可動アーム２０両端を中空管１８ａ，１８ｂの間に挿嵌係合し、管状スピンドル２７上端のスリーブ２３は可動アームに固定され、内側の雌ネジは軸部材２６の上端と螺挿し雄ネジには袋ナット３８が螺合している。
【００３６】
この状態では、作動装置２８を構成する上下のネジ軸３６ａ，３６ｂは、若干縮小された状態にあり、可動アーム２０両端を係合した一対の中空管１８ａ，１８ｂからなる上部支柱２ｂは、立設した下部支柱２ａの上端に挿嵌継手１６ａ，１６ｂを介して連結保持される。
【００３７】
このとき、図４に示すように、両送りネジ軸３６ａ，３６ｂが縮小した状態での止水弁体２４が挿排出フランジ２２に挿通され、この挿排出フランジ２２が空気抜き弁ＥＶが取外された副弁Ｖ１のフランジＦ２に図示しないボルトを介して取付けられる。
【００３８】
図５に示す工程では、まず、副弁Ｖ１がハンドルＨ１の回転操作により開放されるが、水道本管から分岐枝管５を通して流出する水道水は、挿排出フランジ２２により止水される。作動装置２８のハンドルＨ２を一定方向に回転操作することで、  両送りネジ軸３６ａ，３６ｂが軸方向に伸長し、袋ナット３８を介して可動アーム２０が上部支柱２ｂの中空管１８ａ，１８ｂから下部支柱２ａの中空管１４ａ，１４ｂに移動し、止水弁部２５が副弁Ｖ１を通過して分岐口に位置するところまできたときに、可動アーム２０の両端が取付け片Ｂ１，Ｂ２に固定できるように設計されている。
【００３９】
これにより、止水弁体２４下端の止水弁部２５は、両送りネジ軸３６ａ，３６ｂによる軸方向への伸長によって下方に移動し、開放された副弁Ｖ１内を挿通して分岐枝管５の分岐口内部に位置決め保持される。
【００４０】
次に、図６に示す工程では、管状スピンドル２７上端のスリーブ２３に螺合した袋ナット３８を図示しない回転工具により回転させて取外すと共に、下部支柱２ａの中空管１４ａ，１４ｂから一対の中空管１８ａ，１８ｂを作動装置２８と共に取外す。
【００４１】
図７に示す工程では、軸部材２６上端の外形四角形状に形成された係合部２６ｂにハンドルＨ３の係合孔を上方から差し込んで軸部材２６を回転させることで、スリーブ２３内周の雌ネジに螺合している軸部材２６が上方に引上げられる。
【００４２】
これにより、図８に示すように、分岐枝管５の分岐口内に位置決め保持されている止水ゴムＳは、上方に引上げられる軸部材２６下端のフランジ２６ａと管状スピンドル２７下端の押圧リング体２７ａによって上下両面が圧縮され、直径方向に膨出変形して分岐枝管５の分岐口内壁が押圧密閉される。
【００４３】
図９に示す工程では、分岐枝管５上端のフランジＦ１から副弁Ｖ１を取外して管状スピンドル２７に沿って上方に移動待機し、この状態でフランジＦ１の取付け面に仮固定金具５０を構成する２分割した分割部片５０ａ，５０ｂを管状スピンドル２７下方の外周に挟持して固定する。
【００４４】
ここで使用される分割部片５０ａ，５０ｂは、図１０の（ａ）、（ｂ）に示すように分割フランジ片５２ａ，５２ｂと、管状スピンドル２７の外周並びに押圧リング体２７ａの上面を押圧すべく分割フランジ片５２ａ，５２ｂの内周下面に接合された分割リング片５４ａ，５４ｂから構成されている。
【００４５】
次に、図１１に示す工程では、下部支柱２ａの中空管１４ａ，１４ｂから可動アーム２０を取外すと共に、分割部片５０ａ，５０ｂで保持されている管状スピンドル２７から既設の副弁Ｖ１を上方へ抜出し、交換される新規の副弁Ｖ２に挿排出フランジ２２を取付けた状態で管状スピンドル２７の上端から挿入する。
【００４６】
新規の副弁Ｖ２が管状スピンドル２７に挿入されると、図９に示すように再び可動アーム２０を中空管１４ａ，１４ｂの取付け片Ｂ１，Ｂ２に取付けて、軸部材２６の上端部にスリーブ２３を螺合して可動アーム２０に固定する。
【００４７】
次に、分岐枝管５上端のフランジＦ１から分割部片５０ａ，５０ｂを取外した後、新規の副弁Ｖ２を分岐枝管５のフランジＦ１に固定することで図７に示すような状態となる。そして、軸部材２６上端の四角形状の係合部２６ｂにハンドルＨ３を係合して回転させることで、軸部材２６が下方に移動して止水ゴムＳの圧縮が解除され、止水ゴムＳから副弁Ｖ２を通して上方に流出した水道水は挿排出フランジ２２により止水される。
【００４８】
そこで、図１２に示す工程で下部支柱２ａの上端に上部支柱２ｂを接続し、上部支柱２ｂの取付け片Ｂ１，Ｂ２に取付けられている可動アーム２０の固定を解除し、上部支柱２ｂに組込まれている作動装置２８のハンドルＨ２の回転により、両送りネジ軸３６ａ，３６ｂが同時に中空管４０の内方に引き込まれ、下部のネジ軸３６ｂによる引上げ作用で止水弁体２４が可動アーム２０に案内されて上方に移動し、止水弁部２５は挿排出フランジ２２内に収容される。
【００４９】
図１３に示す工程では、挿排出装置１の解体が行なわれる。即ち、副弁Ｖ２をハンドルＨ１の回転操作で閉鎖し、作動装置２８の袋ナット３８をスリーブ２３から分離した状態で下部支柱２ａから上部支柱２ｂを切り離す。
【００５０】
次いで、図１４に示すように下部支柱２ａ、フランジＦ上の支持金具６を取外し、挿排出フランジ２２を副弁Ｖ２のフランジＦ２から取外すことで止水弁体２４が取り除かれ解体作業が完了する。
【００５１】
そして、図１５、図１６に示す工程では、副弁Ｖ２上のフランジＦ２に空気抜き弁ＥＶを取付け、ハンドルＨ１の回転操作で副弁Ｖ２を開放して空気抜き弁ＥＶに通水し、副弁の交換作業が完了する。
【００５２】
従って、上記のような副弁の交換方法によれば、止水弁体２４で水道本管から既設の副弁Ｖ１側への流れを閉鎖しておき、この止水弁体２４を仮固定金具の分割部片５０ａ，５０ｂで仮固定している間に副弁Ｖ１を新規の副弁Ｖ２に交換し、仮固定解除後に新規の副弁Ｖ２を分岐枝管５上端のフランジＦ１に取付けることで副弁の交換ができるので、交換作業が簡便に行われ、しかも密閉ケース等の大掛かりな装置を必要としない。
【００５３】
また、挿排出装置１は、副弁Ｖ１に取付けた挿排出フランジ２２と、止水弁体２４を挿排出する作動装置２８と、この作動装置２８を支持する下部支柱２ａと上部支柱２ｂとから構成されているので、止水弁体２４を安定確実に駆動できる。
【００５４】
更に、作動装置２８は、ハンドルＨ２の回転操作で上下に移動する一対の送りネジ軸３６ａ，３６ｂと、これら送りネジ軸３６ａ，３６ｂによる移動を止水弁体２４に伝達すべく、下部支柱２ａないし上部支柱２ｂに摺動自在の可動アーム２０とで構成されているので、ハンドルＨ２の回転操作だけで止水弁体２４を駆動できるため熟練を要することなく交換作業を遂行できる。
【００５５】
そして、止水弁体２４は、先端にリング状の止水ゴムＳからなる止水弁部２５と、この止水弁部２５を有する管状スピンドル２７と、この管状スピンドル２７内に挿入され止水ゴムＳを押圧可能な軸部材２６とで構成されているので、止水弁部２４を分岐枝管５内の分岐口に挿入後、軸部材２６により止水ゴムＳを押圧することで、分岐枝管５から副弁Ｖ１側への流れを確実に閉鎖することができる。
【００５６】
そしてまた、仮固定金具５０は、管状スピンドル２７の外周部を固定する２分割された分割部片５０ａ，５０ｂで構成されているので、管状スピンドル２７の外から容易に止水弁体２４を仮固定することができる。
【００５７】
更に、下部支柱２ａと上部支柱２ｂとが互いに接離可能に構成されることで、上部支柱２ｂにハンドルＨ２を設けた中空管４０と、送りネジ軸３６ａ，３６ｂとから成る作動装置２８を配置し、止水弁体２４の止水弁部２５が分岐枝管５の分岐口まで侵入したときに可動アーム２０が下部支柱２ａに達する。そこで下部支柱２ａに可動アーム２０を固定した後、上部支柱２ｂ、作動装置２８を取外し、止水弁体２４の軸部材２６を操作して止水ゴムＳを押圧して水道本管から副弁側への流れを閉鎖することができる。
【００５８】
また、副弁のフランジＦ２には、空気抜き弁ＥＶが取付けられているので、空気抜き弁ＥＶを取外したフランジＦ２を利用して、挿排出フランジ２２を副弁に容易に取付けることができる。
【００５９】
以上、本発明の実施例を図面により説明してきたが、具体的な構成はこれら実施例に限られるものではなく、例えば、止水弁を挿排出する作動手段として、ターンバックル式のネジ手段に代えて、油圧アクチュエータを用いてもよい。
【図面の簡単な説明】
【００６０】
【図１】本発明に係る分岐口に取付けた副弁の交換方法における最初の工程であって、既設の副弁を止水した状態を示す説明図である。
【図２】空気弁を取外し、下部支柱を取付ける工程の説明図である。
【図３】（ａ）、（ｂ）は図２のＡ−Ａ断面を示すものであって、支持金具の取付け手順を示す説明図である。
【図４】２本の支柱に挿排出手段を取付ける工程の説明図である。
【図５】作動装置を介して止水弁体の弁部を流体管の分岐口に挿入させた工程の説明図である。
【図６】止水弁体を下部支柱に取付けた状態で、上部支柱、ハンドル及び螺合部材を取り外す工程の説明図である。
【図７】可動アームを下部支柱に固定して、止水弁体の軸部材を操作する工程の説明図である。
【図８】止水弁体の止水ゴムにより流体管からの流れを閉鎖する工程の説明図である。
【図９】流体管からの流れを閉鎖して既設の副弁を取外し、止水弁体を仮固定金具により仮固定する工程の説明図である。
【図１０】仮固定金具の取付け手順を示し、（ａ）は分割部片で構成された仮固定金具の平面図、（ｂ）は（ａ）のＢ−Ｂ断面図である。
【図１１】可動アームを取外して既設の副弁を新規の副弁と交換する工程の説明図である。
【図１２】再び可動アームを取り付けて止水弁体を固定し、仮固定金具を取外したのち新規の副弁を流体管に固定し、上部支柱を取付け、ハンドル操作で止水弁体を上部に引上げる工程の説明図である。
【図１３】下部支柱から上部支柱を取外す工程の説明図である。
【図１４】新規の副弁取付け後に挿排出フランジを取り外す工程の説明図である。
【図１５】新規の副弁に空気弁を取付ける工程の説明図である。
【図１６】新規の副弁に空気弁を取付けた最終工程の説明図である。
【符号の説明】
【００６１】
１                    挿排出装置（挿排出手段）
２ａ                  下部支柱
２ｂ                  上部支柱
４                    分岐管
４ａ                  フランジ
５                    分岐枝管
６                    支持金具
８ａ，８ｂ            分割環状フレーム
９ａ，９ｂ            支柱ベース
１０ａ，１０ｂ        台座
１２ａ，１２ｂ        支持管
１４ａ，１４ｂ        中空管
１６ａ，１６ｂ        挿嵌継手
１８ａ，１８ｂ        中空管
２０                  可動アーム
２２                  挿排出フランジ
２３                  スリーブ
２４                  止水弁体
２５                  止水弁部
２６ａ                フランジ
２６ｂ                係合部
２６                  軸部材
２７                  管状スピンドル
２７ａ                押圧リング体
２８                  作動装置
３０                  梁部材
３２                  ホルダ
３４ａ，３４ｂ        ナット部材
３６ａ，３６ｂ        ネジ軸
３８                  袋ナット
４０                  中空管
４５ａ，４５ｂ        ブラケット
５０                  仮固定金具
４２ａ，４２ｂ        内リング
４４ａ，４４ｂ        外リング
４６ａ，４６ｂ        連結片
４８ａ，４８ｂ        挟持片
５０                  仮固定金具
５０ａ，５０ｂ        分割部片
５２ａ，５０ｂ        分割フランジ片
５４ａ，５４ｂ        分割リング片
Ｂ１，Ｂ２            取付け片
ＤＬ                  ダブルリブ
ＥＶ                  空気抜き弁
Ｆ，Ｆ１，Ｆ２        フランジ
Ｈ１，Ｈ２，Ｈ３      ハンドル
Ｐ１，Ｐ２            固定ピン
Ｓ                    止水ゴム
Ｖ１                  既設の副弁
Ｖ２                  新規の副弁
【図１】
2005265087.tif 000003
【図２】
2005265087.tif 000004
【図３】
2005265087.tif 000005
【図４】
2005265087.tif 000006
【図５】
2005265087.tif 000007
【図６】
2005265087.tif 000008
【図７】
2005265087.tif 000009
【図８】
2005265087.tif 000010
【図９】
2005265087.tif 000011
【図１０】
2005265087.tif 000012
【図１１】
2005265087.tif 000013
【図１２】
2005265087.tif 000014
【図１３】
2005265087.tif 000015
【図１４】
2005265087.tif 000016
【図１５】
2005265087.tif 000017
【図１６】
2005265087.tif 000018